(57)【特許請求の範囲】
【請求項１】
スラブ基礎上に免震要素を介して建物本体を支持するとともに、建物本体の外壁の直下において、建物本体の外周に沿ってスラブ基礎からコンクリート立ち上り部を立ち上げてなることを特徴とする免震住宅。
【請求項２】
コンクリート立ち上り部はコンクリート製スラブ基礎と一体に打設されている請求項１記載の免震住宅。
【請求項３】
コンクリート立ち上り部上端と建物本体の外壁下端との間の隙間を、建物本体側から垂らしたカバーで覆ってあることを特徴とする請求項１又は２記載の免震住宅。
【請求項４】
コンクリート立ち上り部の上端面は、免震要素の上に設置された土台梁の下面よりも下側である請求項１から３のいずれかに記載の免震住宅。
【発明の詳細な説明】
【０００１】
【発明の属する技術分野】
この発明は、免震要素を介して支持された免震住宅であって、特に建物本体下側の隙間部分の遮蔽構造に関するものである。
【０００２】
【従来の技術】
大地震の際の地盤の振動が住宅に伝わるのを防止する手段として、建物本体を免震要素を介して支承することが行われている。
【０００３】
この種の免震要素としては、地盤からの振動を水平方向のすべりによって吸収するすべり支承、同じく転がりによって吸収する転がり支承、積層ゴムによって吸収するゴム支承などがあるが、いずれの場合においても、基礎の上にいずれかの免震要素を設置して、この免震要素の上に建物本体の土台梁を載せ、更にその上に壁、床等を構築するものである。
【０００４】
図４は、従来におけるこの種の免震住宅を概略的に示したもので、コンクリートを打設して形成されたスラブ基礎(１)の上に、免震要素(２)を要所要所に設置している。この免震要素(２)の上に１階の土台梁(３)を載せて、この土台梁(３)の上に、壁(４)、床(５)が支持されている。
【０００５】
このように免震支持された住宅においては、建物本体(８)は免震要素(２)によって地盤から浮いた状態で支持されることになり、外側から見たとき、建物本体(８)の下側に大きな隙間(13)を生ずることになる。このため、従来においては、図のように、建物本体(８)の外壁側から垂らした水切カバー(14)の下端を地盤近くまで延長して、この部分の隙間(13)を塞ぐようにしている。
【０００６】
【発明が解決しようとする課題】
コンクリート基礎の上に建物本体を構築する住宅においては、外側から見たとき、地盤から基礎コンクリートの立ち上がり部が見え、その上に建物本体が乗っている形が一般である。しかしながら、免震住宅においては、上記のように、建物本体(８)の下側には地盤近くまで水切カバー(14)が覆っているので、従来からの住宅とは外観が異なり、違和感をもたらすとともに、コンクリートの基礎が見えないので却って不安定な印象を与えやすいという欠点がある。
【０００７】
また、土台梁(３)が地盤近くに位置するまで地盤を深く掘削して、免震要素(２)を低く設置することが考えられるが、この場合でもやはり同様の欠点があるのみならず、掘削土量が多くなってコストが高くなるとともに、排出土の処分の問題を生ずる不都合がある。
【０００８】
【課題を解決するための手段】
上記の課題を解決するため、この発明は、スラブ基礎上に免震要素を介して建物本体を支持するとともに、建物本体の外壁の直下において、建物本体の外周に沿ってスラブ基礎からコンクリート立ち上り部を立ち上げてなることを特徴とする。
【０００９】
上記において、この出願の請求項２の発明では、コンクリート立ち上がり部はコンクリート製スラブ基礎と一体に打設されているものが提供される。
【００１０】
同じくこの出願の請求項３の発明は、コンクリート立ち上がり部上端と建物本体の外壁下端との間の隙間を、建物本体側から垂らしたカバーで覆うものである。
【００１１】
さらに、この出願の請求項４の発明では、コンクリート立ち上り部の上端面は、免震要素の上に設置された土台梁の下面よりも下側であるものが提供される。
【００１２】
【発明の実施の形態】
図１は、この発明の免震住宅の支持構造を概略的に示したもので、(21)は、コンクリート製のスラブ基礎であって、例えば、地盤を浅く掘削して割栗地業を行った上に打設している。このスラブ基礎(21)の要所要所に台座(20)を設置するとともに、その上に免震要素(22)を配置している。免震要素(22)の上に跨るようにして、例えばＨ形鋼からなる土台梁(23)を載せて、この土台梁(23)を土台として、外壁(24)等の壁及び床(25)を構築してある。
【００１３】
図２は、上記建物本体の外壁(24)下端部の詳細を示している。(26)は、前記免震要素(22)へ載せられた土台梁(23)に対して、その土台梁(23)の先端に、接合プレート(27)を介して接合された外周部の土台梁であり、建物外壁(24)に沿って配置されている。この外周部の土台梁(26)も、免震要素(22)上の土台梁(23)と同じ断面のＨ形鋼からなるが、その上に、軸組フレーム(28)が設置され、この軸組フレーム(28)の内側に内壁材(29)が取り付けられ、外側に外装材(30)が取り付けられて、前記の外壁(24)を構成している。
【００１４】
(31)は、ＡＬＣ板その他のコンクリート板からなる床パネルであり、前記免震要素(22)上の土台梁(23)の中間部間に落とし込んで、土台梁(26)に取付けたプレート(40)の上に設置され、その上に、床板(33)が張られている。
【００１５】
上記外周部の土台梁(26)の下側には、スラブ基礎(21)の外周端部より上方に立ち上がるようにして、そのスラブ基礎(21)と一体に打設されたコンクリート製の基礎立ち上がり部(34)が立ち上がっており、これによって、建物本体の下側である土台梁(26)の下側の隙間(35)を覆っている。
【００１６】
(36)は、水切カバーであり、その上端の水平部(37)を、土台梁(26)の上面と前記軸組フレーム(28)との間に挟み込んで取り付けられており、水平部(37)の外側の端部より折れ曲がった垂直なカバー本体(38)を、土台梁(26)の外側に垂らして、この土台梁(26)の外側を覆うとともに、その土台梁(26)の下面と基礎立ち上がり部(34)との間の隙間を塞いでいる。
【００１７】
また、この水切カバー(36)の下端は内側にほぼ直角に折曲されているが、大地震の際の水平方向の揺れによって、基礎立ち上がり部(34)と緩衝して破損しないよう、その基礎立ち上がり部(34)よりも僅かに上方に位置している。
【００１８】
上記において、基礎立ち上がり部(34)は、外側の地盤面(39)よりも上方に突出しており、図３で示すように、一般の住宅と同じように、建物本体の下側にコンクリート面が露出し、これによって、コンクリート基礎によって直接支持されたかのような外観を呈している。
【００１９】
【発明の効果】
以上のように、この発明によれば、免震要素があるために建物本体が地盤面から浮き上がって支承されていても、その建物本体の下側にコンクリート立ち上がり部が地盤から突出してその下側の隙間を覆うことになるから、コンクリート基礎の立ち上がり部で支持された一般の住宅と同じような外観が得られ、見る者に違和感を与えることがなく、外観に優れた免震構造の住宅が得られる。
【図面の簡単な説明】
【図１】この発明の実施形態を示す免震住宅の概略断面図である。
【図２】同じく外壁の下端部分を縦断して示す断面図である。
【図３】この発明の免震住宅の外観図である。
【図４】従来の免震住宅の支持構造を示す概略断面図である。
【符号の説明】
（21）        スラブ基礎
（22）        免震要素
（23）（26）  土台梁
（34）        基礎コンクリート立ち上がり部
【図１】
0003815656.tif 000002
【図２】
0003815656.tif 000003
【図３】
0003815656.tif 000004
【図４】
0003815656.tif 000005